(57)【要約】  フィルターのメンテナンス性を向上させたビルトイン型の空気調和装置を提供する。また、電装箱内に塵埃が流れ込むのを防止したビルトイン型の空気調和装置を提供する。  ビルトイン型の空気調和装置１は、ユニット本体１０の内側を、仕切板５５により、熱交換器６０を収容する熱交換室Ｒ２と、送風ファン５０を収容する送風室Ｒ１とに仕切り、送風ファン５０で吸込口１７から空気を吸い込んで、当該空気を、熱交換器６０で熱交換して吹き出す。吸込口１７には、吸込口１７全体を覆うフィルターユニット２０を設け、フィルターユニット２０は、複数のフィルター部２１を吸込口１６の横方向に連結して備えられ、フィルター部２１を互いに連結する連結部２４で折り曲げ自在に形成し、フィルターユニット２０を、ユニット本体１０の横方向にスライドさせて着脱自在に取り付けた。また、送風室Ｒ１に隣接させて、電装箱８１を設け、電装箱８１には、送風室Ｒ１に対向する面８１Ａに、電装箱８１に電装部品８２を固定するための固定孔８２Ａが開口し、固定孔８２Ａを塞ぐように、電装箱８１と送風室Ｒ１の間に第２仕切板９０を設けた。
2013046899.tif 000002
【特許請求の範囲】
【請求項１】
ユニット本体の内側を、仕切板により、熱交換器を収容する熱交換室と、送風ファンを収容する送風室とに仕切り、前記送風ファンで吸込口から空気を吸い込んで、当該空気を、前記熱交換器で熱交換して吹き出すビルトイン型の空気調和装置において、
前記吸込口には、前記吸込口全体を覆うフィルターユニットを設け、
前記フィルターユニットは、複数のフィルター部を前記吸込口の横方向に連結して備えられ、
前記フィルター部を互いに連結する連結部で折り曲げ自在に形成し、
前記フィルターユニットを、前記ユニット本体の横方向にスライドさせて着脱自在に取り付けたことを特徴とするビルトイン型の空気調和装置。
【請求項２】
前記フィルターユニットは、前記フィルター部が前記連結部で互いに着脱自在に備えられることを特徴とする請求項１に記載のビルトイン型の空気調和装置。
【請求項３】
前記ユニット本体は、前記吸込口の上下に互いに平行に設けられた一対のレールを備え、前記フィルターユニットは、前記レール間に支持され、前記レールに沿って横方向にスライドさせて着脱可能に設けられたことを特徴とする請求項１又は２に記載のビルトイン型の空気調和装置。
【請求項４】
前記フィルターユニットは、前記フィルター部の前記連結部が、隣り合うフィルター部の一方のフィルター部を他方のフィルター部の前面側、或いは、後面側のどちら側にも折り曲げ可能に構成されていることを特徴とする請求項１乃至３のいずれかに記載のビルトイン型の空気調和装置。
【請求項５】
前記連結部は、隣り合う前記フィルター部の互いに臨む縁部の一方に設けられた軸部と、他方に設けられた抱持部と、を一体に備え、前記抱持部で前記軸部を抱持して連結した際に、前記抱持部が前記軸部の周りを回動可能に構成されていることを特徴とする請求項１乃至４のいずれかに記載のビルトイン型の空気調和装置。
【請求項６】
前記ユニット本体は、被調和室と点検口を介して連通する天井裏空間に設けられ、前記レールは、前記点検口側の端部が開放し、前記フィルターユニットは、前記レールの開放した端部から前記レール間に挿抜可能であることを特徴とする請求項１乃至５のいずれかに記載のビルトイン型の空気調和装置。
【請求項７】
ユニット本体の内側を、仕切板により、熱交換器を収容する熱交換室と、送風ファンを収容する送風室とに仕切り、前記送風ファンで吸込口から空気を吸い込んで、当該空気を、前記熱交換器で熱交換して吹き出すビルトイン型の空気調和装置において、
前記送風室に隣接させて、電装箱を設け、
前記電装箱には、前記送風室に対向する面に、前記電装箱に電装部品を固定するための固定孔が開口し、
前記固定孔を塞ぐように、前記電装箱と前記送風室の間に第２仕切板を設けた
ことを特徴とするビルトイン型の空気調和装置。
【請求項８】
前記ユニット本体の内側に、前記仕切板、及び、前記第２仕切板により、前記熱交換室、及び、前記送風室から仕切られた第３の室を設け、前記第３の室に前記電装箱を収容し、前記仕切板に前記第３の室と、前記熱交換室とに連通する配線孔を設け、前記配線孔を介して前記電装箱からの配線を前記熱交換室に通したことを特徴とする請求項７に記載のビルトイン型の空気調和装置。
【請求項９】
前記電装箱は、複数の機種間で共通部品として用いられ、前記固定孔を複数備えることを特徴とする請求項７または８に記載のビルトイン型の空気調和装置。
【請求項１０】
前記第２仕切板は、前記送風室に、前記ユニット本体の底板側から抜き差しして取り付け可能に構成されることを特徴とする請求項７乃至９のいずれかに記載のビルトイン型の空気調和装置。
【発明の詳細な説明】
【技術分野】
【０００１】
本発明は、建物の天井部に設置された室内機を備えるビルトイン型の空気調和装置に関する。
【背景技術】
【０００２】
従来、建物の天井裏空間等の天井部に設置される室内機と、当該室内機に冷媒配管を介して接続される室外機とを備えるビルトイン型の空気調和装置が知られている。この種のビルトイン型の空気調和装置では、室外機に圧縮機及び室外熱交換器を収容し、室内機に室内熱交換器及び送風機を収容している。そして、圧縮機、室外熱交換器、及び、室内熱交換器を冷媒配管で接続して冷媒回路を構成している。送風機の駆動によって室内熱交換器に送風され、室内熱交換器内を流れる冷媒と熱交換した調和空気は、吹出ダクトを介して被調和室に吹き出される（例えば、特許文献１参照）。
【先行技術文献】
【特許文献】
【０００３】
【特許文献１】特開２００２−１６２０６４号公報
【発明の概要】
【発明が解決しようとする課題】
【０００４】
ところで、室内機の吸込口には、空気と共に塵埃等を室内機の中に吸い込まないようにフィルターが取り付けられる。このフィルターは、目詰まり等により空気の吸込み量が低減するのを防止するために定期的に清掃、或いは、交換する必要がある。しかしながら、狭い天井裏空間に設置された室内機のフィルターの清掃、或いは、交換は、天井の点検口の位置や大きさによって容易に行うことができない場合があり、作業性が悪かった。【０００５】
また、室内機は、ユニット本体の内側が仕切板により熱交換器を収容する熱交換室と、送風機を収容する送風室とに仕切られている。送風室には、送風機と共に、電装ユニットが備えられている。電装ユニットは、電装箱の内部に電装部品を収容して構成されている。電装箱には、配線を送風室、及び、熱交換室内に引き出すための配線孔や、電装箱に電装基板等の電装部品を固定するための固定孔が複数設けられている。しかしながら、送風機によって送風室内に引き込まれた塵埃等がこれらの孔を介して電装箱内に流れ込む場合がある。電装箱内に塵埃等が流れ込むと、電装箱内の電装部品に塵埃が付着して故障の原因となる場合がある。
本発明は、上述した従来の技術が有する課題を解消し、フィルターのメンテナンス性を向上させたビルトイン型の空気調和装置を提供することを目的とする。また、本発明は、上述した従来の技術が有する課題を解消し、電装箱内に塵埃が流れ込むのを防止することができるビルトイン型の空気調和装置を提供することを目的とする。
【課題を解決するための手段】
【０００６】
上記目的を達成するために、本発明は、ユニット本体の内側を、仕切板により、熱交換器を収容する熱交換室と、送風ファンを収容する送風室とに仕切り、前記送風ファンで吸込口から空気を吸い込んで、当該空気を、前記熱交換器で熱交換して吹き出すビルトイン型の空気調和装置において、前記吸込口には、前記吸込口全体を覆うフィルターユニットを設け、前記フィルターユニットは、複数のフィルター部を前記吸込口の横方向に連結して備えられ、前記フィルター部を互いに連結する連結部で折り曲げ自在に形成し、前記フィルターユニットを、前記ユニット本体の横方向にスライドさせて着脱自在に取り付けたことを特徴とする。【０００７】
また、本発明は、上記ビルトイン型の空気調和装置において、前記フィルターユニットは、前記フィルター部が前記連結部で互いに着脱自在に備えられることを特徴とする。【０００８】
また、本発明は、上記ビルトイン型の空気調和装置において、前記ユニット本体は、前記吸込口の上下に互いに平行に設けられた一対のレールを備え、前記フィルターユニットは、前記レール間に支持され、前記レールの端部を前記ユニット本体の側面側に開放し、当該開放された端部から、前記フィルターユニットを横方向にスライドさせて着脱可能に取り付けたことを特徴とする。【０００９】
また、本発明は、上記ビルトイン型の空気調和装置において、前記フィルターユニットは、前記フィルター部の前記連結部が、隣り合うフィルター部の一方のフィルター部を他方のフィルター部の前面側、或いは、後面側のどちら側にも折り曲げ可能に構成されていることを特徴とする。【００１０】
また、本発明は、上記ビルトイン型の空気調和装置において、前記連結部は、隣り合う前記フィルター部の互いに臨む縁部の一方に設けられた軸部と、他方に設けられた抱持部と、を備え、前記抱持部で前記軸部を抱持して連結した際に、前記抱持部が前記軸部の周りを回動可能に構成されていることを特徴とする。【００１１】
また、本発明は、上記ビルトイン型の空気調和装置において、前記ユニット本体は、被調和室と点検口を介して連通する天井裏空間に設けられ、前記レールは、前記点検口側の端部が開放し、前記フィルターユニットは、前記レールの開放した端部から前記レール間に挿抜可能であることを特徴とする。【００１２】
また、上記目的を達成するために、本発明は、ユニット本体の内側を、仕切板により、熱交換器を収容する熱交換室と、送風ファンを収容する送風室とに仕切り、前記送風ファンで吸込口から空気を吸い込んで、当該空気を、前記熱交換器で熱交換して吹き出すビルトイン型の空気調和装置において、前記送風室に隣接させて、電装箱を設け、前記電装箱には、前記送風室に対向する面に、前記電装箱に電装部品を固定するための固定孔が開口し、前記固定孔を塞ぐように、前記電装箱と前記送風室の間に第２仕切板を設けたことを特徴とする。【００１３】
また、本発明は、上記ビルトイン型の空気調和装置において、前記ユニット本体の内側に、前記仕切板、及び、前記第２仕切板により、前記熱交換室、及び、前記送風室から仕切られた第３の室を設け、前記第３の室に前記電装箱を収容し、前記仕切板に前記第３の室と、前記熱交換室とに連通する配線孔を設け、前記配線孔を介して前記電装箱からの配線を前記熱交換室に通したことを特徴とする。【００１４】
また、本発明は、上記ビルトイン型の空気調和装置において、前記電装箱は、複数の機種間で共通部品として用いられ、前記固定孔を複数備えることを特徴とする。【００１５】
また、本発明は、上記ビルトイン型の空気調和装置において、前記第２仕切板は、前記送風室に、前記ユニット本体の底板側から抜き差しして取り付け可能に構成されることを特徴とする。
【発明の効果】
【００１６】
本発明によれば、吸込口には、前記吸込口全体を覆うフィルターユニットを設け、前記フィルターユニットは、複数のフィルター部を前記吸込口の横方向に連結して備えられ、前記フィルター部を互いに連結する連結部で折り曲げ自在に形成し、前記フィルターユニットを着脱自在に取り付けたため、フィルターユニットの着脱作業をする際には、フィルターユニットをユニット本体の横方向にスライドさせながら、各フィルター部の連結部でフィルターユニットを折り曲げてコンパクトにすることができ、狭い天井裏空間でも容易にフィルターユニットの脱着を行うことができ、フィルターユニットのメンテナンス性を向上することができる。また、本発明によれば、送風室に隣接させて、電装箱を設け、前記電装箱には、前記送風室に対向する面に、前記電装箱に電装部品を固定するための固定孔が開口し、前記固定孔を塞ぐように、前記電装箱と前記送風室の間に第２仕切板を設けたため、電装箱に電装部品を固定するための固定孔を第２仕切板で塞ぎ、固定孔を介して送風室から電装箱内に塵埃などが流れ込むのを防止することができる。
【図面の簡単な説明】
【００１７】
【図１】図１は本発明の実施形態に係るビルトイン型の空気調和装置を示す側面図である。
【図２】図２はビルトイン型の空気調和装置を示す側面図である。
【図３】図３は室内ユニットの断面図である。
【図４】図４は室内ユニットの外観斜視図である。
【図５】図５はフィルターユニットの斜視図である。
【図６】図６はフィルター部の斜視図である。
【図７】図７は連結部の構成を示す図であり、図７（Ａ）は、連結前の状態を示す図であり、図７（Ｂ）は、連結した状態を示す図である。
【図８】図８はフィルターユニットをユニット本体に取り付ける取付構造を示す図である。
【図９】図９はフィルターユニットをユニット本体から引き出している状態を示す図である。
【図１０】図１０は異なる大きさの室内ユニットのフィルターユニットを示す図であり、（Ａ）は、３連のフィルターユニットを示す図であり、（Ｂ）は、２連のフィルターユニットを示す図である。
【図１１】図１１は送風室側の底板を取り外した室内ユニットを下面側から視た外観斜視図である。
【図１２】図１２は室内ユニットの部分分解斜視図である。
【図１３】図１３は第２仕切板の取付状態を示す図である。
【図１４】図１４は電装ユニットの正面図である。
【図１５】図１５は第２仕切板から熱交換室に通した通信線の配線状態を示す図である。
【図１６】図１６は第２仕切板とシーリング部材との構成を示す図である。
【発明を実施するための形態】
【００１８】
以下、図面を参照して本発明の実施形態について説明する。
本発明を適用した実施形態に係るビルトイン型の空気調和装置１は、不図示の室外ユニットと、当該室外ユニットに冷媒配管で接続された室内ユニット５と、から構成される。図示は省略したが、室外ユニットは、建物の屋上等の屋外に配設され、室外空気と熱交換して冷房運転時には冷媒を凝縮させて外気に熱を放出し、暖房運転時には冷媒を蒸発させて外気から熱を取り込むものである。ビルトイン型の空気調和装置１は、この冷媒を室外ユニットと、室内ユニット５の室内熱交換器（熱交換器）６０との間で循環させて、被調和室２の空気調和を行う。
【００１９】
室内ユニット５は、図１に示したように、建物３１の天井３２と天井板３３との間の天井裏空間３４内に懸吊して配設される。室内ユニット５は、室内熱交換器（熱交換器）６０と、室内熱交換器６０に送風する送風ファン５０を収容して構成されるユニット本体１０と、ユニット本体１０から天井板３３に延びる吸込みダクト５３、及び、吹出ダクト５４とを有して構成される。
【００２０】
ユニット本体１０のユニットケース１１は、天板１２、底板１３、側板１４、吸込側パネル１５、及び、吹出側パネル１６を備え、略矩形に形成される。ユニット本体１０は、ユニットケース１１の側板１４に、複数の吊金具４１を固定して備える。ユニット本体１０は、これらの吊金具４１を天井３２から垂下された吊ボルト４２に止着させて、天井裏空間３４内に懸吊される。天井板３３には、適宜の位置に、着脱自在の天井パネル（点検口）３５が取り付けられ、この天井パネル３５を取り外すことで、被調和室２側から、室内ユニット５の各種メンテナンスを行うことができる。
【００２１】
ユニットケース１１は、一対の対向する側面に配置された吸込側パネル１５、及び、吹出側パネル１６を備え、送風ファン５０の上流側に配置された吸込側パネル１５に形成された吸込口１７と、室内熱交換器６０の下流側に配置された吹出側パネル１６に形成された吹出口１８とを有している。天井板３３の適宜位置には、被調和室２内と天井裏空間３４とを連通させる吸気口５１と、給気口５２とが設けられる。ユニットケース１１の吸込口１７と、天井板３３の吸気口５１とは、吸込みダクト５３で接続される。吸込口１７の空気の入口側には、フィルターユニット２０が設けられる。また、ユニットケース１１の吹出口１８と、天井板３３の給気口５２とは、吹出ダクト５４で接続される。
【００２２】
室内ユニット５は、送風ファン５０の駆動により、被調和室２内の空気を吸気口５１、吸込みダクト５３、フィルターユニット２０、吸込口１７を介してユニット本体１０内に吸い込む。室内ユニット５は、吸い込んだ空気を室内熱交換器６０に送風して室内熱交換器６０内を流れる冷媒と熱交換をさせる。そして室内ユニット５は、調和空気を、吹出口１８、吹出ダクト５４、給気口５２を介して、被調和室２内に供給する。つまり、室内ユニット５は、被調和室２の空気を吸い込んで、室内熱交換器６０内を流れる冷媒と熱交換させた調和空気を再び被調和室２に吹出している。
【００２３】
室内ユニット５は、或いは、図２に示すように、吸込口１７にフィルターユニット２０を備え、送風ファン５０の駆動により、天井裏空間３４の空気をフィルターユニット２０、吸込口１７を介してユニット本体１０内に吸い込み、吸い込んだ空気を室内熱交換器６０に送風して室内熱交換器６０内を流れる冷媒と熱交換をさせ、調和空気を、吹出口１８、吹出ダクト５４、給気口５２を介して、被調和室２内に供給する構成であっても良い。つまり、室内ユニット５は、天井裏空間３４の空気を吸い込んで、室内熱交換器６０内を流れる冷媒と熱交換させた調和空気を被調和室２に吹出す構成であっても良い。
【００２４】
ユニットケース１１の内部は、図３に示すように、天板１２、及び、底板１３に略垂直に設けられた仕切板５５で、送風ファン５０を収容する送風室Ｒ１と、室内熱交換器６０を収容する熱交換室Ｒ２とに区分けされる。仕切板５５は金属の板材などで形成され、送風室Ｒ１と、熱交換室Ｒ２間の空気の流れを遮断する。なお、図３、図４、図５は、図２に示した吸込口１７にフィルターユニット２０を備える室内ユニット５を示す図である。
【００２５】
送風ファン５０には、遠心送風ファンであるシロッコファンが用いられる。送風ファン５０は、多数の羽根を備えた筒状のファン本体５０Ａが、ファンケース５０Ｂに収容され、ファン本体５０Ａの軸方向に延びるモータ軸５０Ｃが、後述するファンモータ３０に連結され、このファンモータの駆動によってファン本体５０Ａが回転する。仕切板５５には開口５５Ａが設けられ、送風ファン５０の送風口５０Ｄは開口５５Ａに接続されて熱交換室Ｒ２側に露出している。
また、送風ファン５０の駆動によって被調和室２からの空気が室内ユニット５内に導かれる吸込口１７の空気の入口側には、フィルターユニット２０が着脱自在に取り付けられる。
【００２６】
室内熱交換器６０は、平板状の上側熱交換部６１と、下側熱交換部６２とを含み、これらの上側熱交換部６１と、下側熱交換部６２とが、側面視で略くの字状に組み合わせて連結されている。この構成によれば、室内熱交換器６０は、平板状の２つの熱交換部６１，６２を側面視で略くの字状に連結させて構成されているため、平板状の熱交換器を縦置きに配置する場合に比べて、熱交換器の高さを低く抑えて、且つ、熱交換面積を広くすることができる。また、上側熱交換部６１、下側熱交換部６２は、ともに、フィン・アンド・チューブ型の熱交換器であり、通風方向に延びる一対の管板と、管板間に互いに間隔を開けて配置される複数のフィン板と、これらフィン板を貫通する複数のチューブを備えて構成されている。
【００２７】
室内熱交換器６０の下方には、室内熱交換器６０のドレン水を受けるドレンパン７０が配置される。室内熱交換器６０は、上端が天板１２の下面傍らまで延在し、下端がドレンパン７０に載置され、これによって、熱交換室Ｒ２は、室内熱交換器６０によって、室内熱交換器６０の上流側の１次側室６５Ａと、室内熱交換器６０の下流側の２次側室６５Ｂとに区分けされる。
【００２８】
ドレンパン７０は、熱交換室Ｒ２の底面一杯を覆い、底板１３に支持される。ドレンパン７０は、発砲スチロール製であり、室内熱交換器６０のドレン水を受ける内側は防水、防カビのために、樹脂シート等で覆われる。これにより、ドレンパン７０を軽量化することができる。ドレンパン７０には、底部が一段低くなったドレン溜まり７０Ａが形成され、このドレン溜まり７０Ａには、図示は省略したが、ドレンポンプの吸込み口が配置されている。ドレンパン７０は、熱交換室側底板１３Ａを取り外すことで、ユニットケース１１から着脱自在に備えられる。ドレンパン７０は、４側面が底面に対して立ち上がった箱形状に形成される。
【００２９】
室内熱交換器６０で発生した結露水等のドレン水は、室内熱交換器６０の表面を伝って流れ、自重でドレンパン７０に集められる。上側熱交換部６１の空気の流出側面６１Ｂと、下側熱交換部６２の上端部６２Ｂとの間には、段差６０Ｃが形成される。上側熱交換部６１で発生し、自重で流出側面６１Ｂを伝って流れる結露水等のドレン水は、この段差６０Ｃで受け止められて、下側熱交換部６２の表面を伝って流れる。これにより、上側熱交換部６１で発生したドレン水が、上側熱交換部６１と、下側熱交換部６２との連結部６０Ｂから飛散するのを防止することができる。
【００３０】
送風ファン５０は、送風口５０Ｄからの吹き出し方向が上側熱交換部６１と、下側熱交換部６２との連結部６０Ｂに向かうように、送風口５０Ｄが斜め下向きに設けられるように配置される。この構成によれば、上側熱交換部６１と、下側熱交換部６２とを通る空気の量をそれぞれ略同じにすることができ、上側熱交換部６１と、下側熱交換部６２との熱交換面内での温度差を小さくして、室内熱交換器６０内での熱交換効率の均一化を図ることができる。
室内熱交換器６０は、くの字の開放側が、送風ファン５０の送風口５０Ｄに対向する向きで配置される構成であっても良いし、或いは、図示は省略したが、くの字の頂点側が送風ファン５０の送風口５０Ｄに対向する向きで配置される構成であっても良い。熱交換器６０は、下側熱交換部６２の水平方向に対する傾きαが所定角度より、例えば３７度より、小さくならないように配置される。下側熱交換部６２の水平方向に対する傾き角度を３７度以上とすることにより、ドレン水が下側熱交換部６２を伝って流れにくくなるのを防止することができ、熱交換器６０の熱交換能力がドレン水の付着により低下するのを防止することができる。
【００３１】
ユニットケース１１は、図４に示すように、一方の側板１４Ａに、メンテナンスパネル５６と、ポンプユニット７５と、蓋体（配管押さえ）６８とを着脱自在に備える。メンテナンスパネル５６は、ユニットケース１１内に収容された後述の電装ユニット８０のメンテナンスを行うために一方の側板１４Ａに設けられたメンテナンス用開口を塞ぐように一方の側板１４Ａに取り付けられる。ポンプユニット７５は、ドレンパン７０からドレン水をくみ上げるドレンポンプ７８と、ドレンポンプ７８の固定具７９とで構成される。一方の側板１４Ａには、ポンプ取付用開口が設けられ、ポンプユニット７５は、ドレンポンプ７８をユニットケース１１内に収容すると共に、固定具７９でこのポンプ取付用開口を塞ぐようにして一方の側板１４Ａに取り付けられる。蓋体６８は、室内熱交換器６０に接続され、一方の側板１４Ａを貫通する補助冷媒管６７を押さえるために配設される。また、一方の側板１４Ａに蓋体６８を取り付けたときには、一方の側板１４Ａに形成された開口部６６Ｂを塞ぐように構成されている。
【００３２】
点検口３５は、メンテナンスパネル５６、ポンプユニット７５、蓋体６８がまとめて形成されたユニットケース１１の一方の側板１４Ａの近傍に設けられる。このように、ユニットケース１１の一方の側板１４Ａにメンテナンス用の開口をまとめて形成し、この一方の側板１４Ａの近傍に点検口３５を設けたため、ユニット本体１０のメンテナンス性を向上することができる。ところで、点検口３５の大きさは、室内ユニット５が設置される場所によって若干の違いはあるが、４５０ｃｍ×４５０ｃｍ以内の略矩形形状に形成されるのが一般的であり、室内ユニット５のメンテナンス時には、この点検口３５を介して作業員が天井裏空間３４内に手を伸ばして、被調和室２側から作業が行われる。
【００３３】
送風室Ｒ１の内部には、吸込口１７の幅Ｗ１方向（横方向）に複数の送風ファン５０が並べて備えられている。送風ファン５０は、軸方向に延びるモータ軸５０Ｃによって、ファンモータ３０に連結され、このファンモータ３０の駆動によって、各送風ファン５０のファン本体５０Ａが回転するように構成されている。送風室Ｒ１に収容される送風ファン５０の数は、ユニットケース１１の幅寸法（室内ユニット５の出力容量／能力）に合わせて適宜に変更可能である。また、本実施形態では、送風室Ｒ１には、複数の送風ファン５０が一本のモータ軸５０Ｃによって連結されて備えられ、単一のファンモータ３０でこれらの複数の送風ファン５０が同様に回転駆動するが、これに限らず、複数の送風ファン５０のそれぞれがファンモータ３０を備える構成であっても良い。フィルターユニット２０は、送風ファン５０の配列方向に沿って、幅Ｗ１の吸込口１７の全体を覆うように、設けられている。吸込口１７の幅Ｗ１は、ユニット本体１０の横方向の横幅Ｗよりも小さく形成されるとともに、一方の側板１４Ａに対向する他方の側板１４Ｂ側に寄せて配置される。
【００３４】
フィルターユニット２０は、図５に示すように、複数のフィルター部２１，２１・・・に分割されて形成され、各フィルター部２１は、柔軟性のある合成樹脂を用いて、樹脂成形等によって互いに等しく形成される。フィルター部２１は、略矩形枠状に形成された外枠体２５Ａと、この外枠体２５Ａの内側の開口部２５を格子状に仕切る仕切り材２５Ｂと、を備える。この構成によれば、外枠体２５Ａの内側開口部２５を仕切り材２５Ｂで格子状に区切ったため、柔軟性のある合成樹脂を用いて形成されたフィルター部２１の、外周方向に引っ張られた場合の変形量を低減させることができ、フィルター部２１の引っ張り強度を高めることができる。
フィルター部２１の開口部２５には、開口部２５を覆う不織布等からなるメッシュ状のフィルター材が、例えば接着や熱溶着によって、取り付けられている。また、フィルター部２１は、開口部２５の下縁に沿って、外枠体２５Ａに、フィルターユニット２０の着脱時に取っ手として用いることができる取手部２６を備える。
【００３５】
フィルター部２１は、隣り合うフィルター部２１，２１を並べて連結させるための連結部２４を一体に備えている。連結部２４は、隣り合うフィルター部２１，２１の隣接する一対の縁の一方の縁２１Ｃに形成された軸部２２と、軸部２２を抱持するように他方の縁２１Ｄに形成された抱持部２３とから構成される。つまり、各フィルター部２１単体では、図６に示すように、幅方向の両縁の一方の縁２１Ｃに軸部２２が備えられ、他方の縁２１Ｄに抱持部２３が備えられる。軸部２２、及び、抱持部２３は、上下に並べて２つ設けられ、各軸部２２、及び、抱持部２３は、フィルター部２１の高さ方向の端部側に寄せて設けられる。
【００３６】
フィルターユニット２０は、フィルター部２１，２１の軸部２２を抱持部２３で抱持するように嵌め込んで連結されると共に、各フィルター部２１，２１・・・が、互いに着脱自在に備えられる。軸部２２、抱持部２３を連結させた連結部２４では、隣り合うフィルター部２１が、軸部２２を回転軸として、互いの前面側、或いは、後面側のどちら側にも折りたたみ（折り曲げ）自在に連結される。つまり、図５に示すように、フィルター部２１Ａは、連結部２４を中心に、フィルター部２１Ｂに対して、回転方向Ｘ１、或いは、回転方向Ｘ２のどちらにも回動可能であり、フィルター部２１Ａは、回転方向Ｘ１側に回転させた場合には、フィルター部２１Ｂの後面側に折りたたまれる、或いは、回転方向Ｘ２側に回転させた場合には、フィルター部２１Ｂの前面側に折りたたまれる。
【００３７】
連結部２４を構成する軸部２２、及び、抱持部２３は、図７（Ａ）に示されるように、フィルター部２１を２つ並べた際に、互いに臨むように構成されている。軸部２２は、軸体２２Ａと、軸体２２Ａをフィルター部２１との間に所定の間隙Ｓ１を備えてフィルター部２１に一体に保持する保持体２２Ｂと、を備える。抱持部２３は、フィルター部２１の前面側から突設され、軸体２２Ａの円周の一部を囲む断面円弧状の第１抱持体２３Ａと、フィルター部２１の後面側から突設され、軸体２２Ａの円周の一部を囲む断面円弧状の第２抱持体２３Ｂと、を備える。第１抱持体２３Ａと、第２抱持体２３Ｂは、正面視で互いに重ならない位置に、交互に配置されている。第１抱持体２３Ａと、第２抱持体２３Ｂの間には、間隙Ｓ２が形成される。間隙Ｓ２には、図７（Ｂ）に示すように、軸部２２と抱持部２３を連結した際に、軸部２２の保持体２２Ｂが配置される。
【００３８】
第１抱持体２３Ａと、第２抱持体２３Ｂは、互いの端部２３Ｃが、平面視で重ならないように、形成される。つまり、第１抱持体２３Ａと、第２抱持体２３Ｂとは、互いの端部２３Ｃ間には、側面視で所定の間隙が備えられ、この間隙は、軸部２２の軸体２２Ａの直径よりも小さく設定されている。この構成によれば、連結部２４は、軸体２２Ａを、第１抱持体２３Ａと、第２抱持体２３Ｂとの間の隙間から押し込むことで、抱持体２３Ａ，２３Ｂで軸体２２Ａを抱持させて、軸部２２と抱持部２３とを簡単に連結させることができる。また、フィルター部２１は、連結部２４の軸部２２を一方方向に、抱持部２３を一方方向とは逆の他方方向に引っ張ることで、簡単に分割することができる。
【００３９】
第１抱持体２３Ａ、及び、第２抱持体２３Ｂの厚さＴは、軸体２２Ａと、フィルター部２１との間の間隙Ｓ１よりも薄く形成され、フィルター部２１を軸体２２Ａを軸中心に回転させて際に、第１抱持体２３Ａ、或いは、第２抱持体２３Ｂが、間隙Ｓ１間に滑り込み、第１抱持体２３Ａ、及び、第２抱持体２３Ｂが軸体２２Ａの周囲を回動する。これにより、フィルター部２１は、隣り合うフィルター部２１の前面側、或いは、後面側のどちら側にでも、連結部２４で折りたたみ（折り曲げ）可能に構成される。また、隣り合うフィルター部２１は、連結部２４で互いに連結された状態のままで折り曲げ自在に構成されている。
【００４０】
吸込側パネル１５には、図８に示すように、吸込口１７の上下に一対のレール４５を備える。レール４５は、吸込口１７の上側に設けられる上側レール４５Ａと、吸込口１７の下側に設けられる下側レール４５Ｂと、から構成される。レール４５Ａ，４５Ｂは、互いに略平行に設けられ、レール４５Ａ，４５Ｂには、それぞれフィルターユニット２０の各上下端部２０Ａ，２０Ｂが支持されている。各レール４５Ａ，４５Ｂは、一枚の金属等の板材を複数回折り曲げて形成され、フィルターユニット２０を支持する支持部４７と、支持部４７を吸込側パネル１５から所定間隔Ｓ３離れた位置に配置する間隙形成部４８と、吸込側パネル１５にねじ３８で固定される固定部４９とが一体に形成される。下側のレール４５Ｂは、縁部が水平方向に折り曲げられて、フィルターユニット２０の取手部２６が上面の載置される載置部４７Ａが設けられている。
【００４１】
レール４５は、一方の側板１４Ａ側の端部４５Ｃが開放されて、フィルターユニット２０は、この開放された端部４５Ｃを介して一方の側板１４Ａ側からレール４５に挿し入れ／引き抜きされて着脱自在に構成されている。または、レール４５は、一方の側板１４Ａの反対側の他方の側板１４Ｂ側の端部４５Ｄに、吸込側パネル１５に取り付けられ、レール４５Ａ，４５Ｂ間に亘るストッパ４６を備える。ストッパ４６は、一方の側板１４Ａ側からレール４５に挿し込まれたフィルターユニット２０が、他方の側板１４Ｂ側に押し出されるのを防止する。
【００４２】
室内ユニット５のメンテナンス時等には、フィルターユニット２０は、図９に示すように、不図示の作業員が点検口３５から天井裏空間３４内に手を伸ばして図中Ｘ方向に引き出されて、ユニットケース１１から取り外される。フィルターユニット２０は、複数のフィルター部２１に分割されて設けられ、各フィルター部２１が連結部２４で隣り合うフィルター部２１に対して前面側、或いは、後面側のどちら側にも折りたたむことができるように構成されている。これにより、フィルターユニット２０は、レール４５に沿って側板１４Ａ側に引き出され、連結部２４でフィルター部２１を折りたたみながら、点検口３５を介して被調和室２に引き出される。フィルターユニット２０は、点検口３５のサイズに対して長いため、そのままでは、点検口３５を介して、被調和室２側に引き出すのは困難であるが、この構成によれば、フィルターユニット２０は、連結部２４で折りたたみながら引き出すことができるため、小さな点検口３５からでも容易に被調和室２側に取り出すことができ、メンテナンス性が向上する。
【００４３】
ところで、室内ユニット５は、図１０に示すように、必要な出力容量に応じて、ユニットケース１１内に収容される送風ファン５０の数、及び、室内熱交換器６０の大きさが変更されるが、これに応じてユニットケース１１の大きさが変わる。フィルターユニット２０は、複数のフィルター部２１を連結して構成され、各フィルター部２１は、連結部２４で互いに着脱自在であるため、例えば図１０（Ａ）、或いは、図１０（Ｂ）に示すように、設けられる送風ファンの数や、吸込口１７の大きさに応じて任意の数のフィルター部２１を連結させて用いることができる。図１０（Ａ）は、３つのフィルター部２１を連結した３連のフィルターユニット２０を示し、図１０（Ｂ）は、２つのフィルター部２１を連結した２連のフィルターユニットを示す。このようにフィルターユニット２０は、任意の数のフィルター部を連結させて用いることができる。これにより、出力容量の異なる機種、及び／或いは、ユニットケース１１の大きさが異なる室内ユニット５間で、フィルターユニット２０を共通部品化することができ、部品管理の容易化、及び、生産コストの削減を図ることができる。
【００４４】
図１１は、ユニット本体１０を底面側から視た図である。なお、底板１３は、送風室側底板（不図示）と、熱交換室側底板１３Ｂと、に分割されて備えられ、この図１１では、説明の便宜上、送風室側底板、及び、フィルターユニット２０を取り外した状態のユニット本体１０を示している。ユニット本体１０の内側には、送風室Ｒ１に隣接させて、電装ユニット８０が設けられる。電装ユニット８０は、図１２、図１３、図１４に示すように、電装箱８１の内部に電装基板８２等の電装部品収容している。電装箱８１は、略矩形箱形に形成され、一方の側板１４に臨む開口８０Ａを備える。開口８０Ａは、メンテナンスパネル５６によって閉封され、電装ユニット８０のメンテナンス時には、メンテナンスパネル５６を一方の側板１４Ａから取り外すことで、電装箱８１に収容される電装部品のメンテナンスを行うことができるように構成されている。
【００４５】
電装箱８１の送風室Ｒ１に対向する面８１Ａには、電装箱８１に電装基板８２等の電装部品を固定するための固定孔８２Ａが複数設けられる。電装箱８１に収容される電装部品の構成は、室内ユニットの出力容量や機種によって異なるが、電装箱８１は共通部品として用いられるため、電装箱８１の送風室Ｒ１に対向する面８１Ａ、特に、背面８１Ｃには、複数の固定孔８２Ａが開口し、これらの固定孔８２Ａの中には、ねじ等が挿入されずに開口したままとなる固定孔８２Ａが複数備えられる。送風室Ｒ１と、電装箱８１の間には、これらの固定孔８２Ａを塞ぐように、第２仕切板９０が設けられる。第２仕切板９０は、一枚の金属部材を略Ｌ字状に折り曲げて形成される。
【００４６】
ユニット本体１０の内側には、仕切板５５、及び、第２仕切板９０により、送風室Ｒ１、及び、熱交換室Ｒ２から仕切られた第３の室Ｒ３が設けられ、電装ユニット８０は、この第３の室Ｒ３に収容される。送風室Ｒ１には、天板１２、吸込側パネル１５、仕切板５５に沿って略コ字状に形成されたブラケット８５が設けられる。ブラケット８５には、第３の室Ｒ３を送風室Ｒ１に連通させる開口８５Ａが備えられる。第２仕切板９０は、この開口８５Ａを塞ぐように、底板１３を取り外した送風室Ｒ１の底面側から、ブラケット８５に沿って抜き差しして着脱可能に設けられる。
第２仕切板９０の上縁には、第２仕切板９０から延出する延出部９２が備えられる。ブラケット８５には、第３の室Ｒ３側の面に、この延出部９２が差し込まれるポケット状の受け部８５Ｂが設けられる（図１６参照）。第２仕切板９０は、上縁の延出部９２がこの受け部８５Ｂに挿し込まれた状態で保持される。そのため、この差し込み構造によって第２仕切板９０の上縁と、ブラケット８５との間の隙間が閉封される。
【００４７】
第２仕切板９０は、延出部９２をブラケット８５の受け部８５Ｂに挿し込んだ後に、図１３に示すように、第３の室Ｒ３の底面側を覆う底面９０Ｂが、第２仕切板９０を吸込側パネル１５と底板１３とが固定されるフレーム１５Ａにねじ９１Ａでねじ止めされると共に、仕切板５５と底板１３とが固定されるフレーム５５Ａにねじ９１Ｂでねじ止めされて、固定される。第２仕切板９０は、ねじ９１Ａ，９１Ｂで固定した際には、第２仕切板９０と、ブラケット８５間の隙間が閉封されるように、ブラケット８５の第３の室Ｒ３側の面に対して押し付けられるように固定される。
第２仕切板９０と、電装箱８１の背面８１Ｃとの間には、所定の隙間が設けられ、電装箱８１の背面８１から引き出された電源線８４Ｂ、或いは、通信線８４Ａ等は、この第２仕切板９０と、電装箱８１の背面８１Ｃとの間の隙間から仕切板５５の近傍に配線される。
【００４８】
電装箱８１の送風室Ｒ１に対向する面８１Ａのうち、仕切板５５に対向する側面８１Ｂには、通信線８４Ａを電装箱８１の内側から第３の室Ｒ３内に引き出す通信線用配線孔８７Ａと、電源線８４Ｂを電装箱８１の内側から第３の室Ｒ３内に引き出す電源線用配線孔８７Ｂと、が形成される。通信線用配線孔８７Ａと、電源線用配線孔８７Ｂとは、電装箱８１の上部と、下部と、に離した位置に設けられる。これにより、電源線８４Ｂと、通信線８４Ａと、を離して配線できるため、電源線８４Ｂを流れる電流によって、通信線８４Ａを流れる信号にノイズが乗るのを防止することができる。
【００４９】
ブラケット８５には、仕切板５５の近傍に、上下に離して設けられる２つの孔９３Ａ，９３Ｂを備える。ブラケット８５の下部に形成された孔９３Ａは、通信線８４Ａを、第３の室Ｒ３から送風室Ｒ１に収容されたファンモータ３０等に繋ぐために引き出すための通信線孔９３Ａである。ブラケット８５の上部に形成された孔９３Ｂは、電源線８４Ｂを、第３の室Ｒ３からファンモータ３０等につなぐために引き出すための電源線孔９３Ｂである。各孔９３Ａ，９４Ｂには、通信線８３Ａ、或いは、電源線８４Ｂが貫通できる程度の大きさの切り込み（孔）が形成されたゴム栓９４Ｂが嵌め込まれる。ゴム栓９４は、送風室Ｒ１から第３の室Ｒ３に、通信線孔９３Ａ、或いは、電源線孔９３Ｂを介して、塵埃等が流れ込むのを防止する。
【００５０】
仕切板５５には、図１２、図１３に示すように、第３の室Ｒ３と、熱交換室Ｒ２と、に連通する通信線引出孔９１が設けられる。電装基板８２からは、熱交換室Ｒ２に収容された熱交換器６０、或いは、ドレンポンプ７８等のセンサーに通信線８４Ａが接続される。この熱交換室Ｒ２に配線される通信線８４Ａは、図１４に示すように、第３の室Ｒ３から、仕切板５５に設けられた通信線引出孔（配線孔）９１を通して、熱交換室Ｒ２に引き出される。通信線引出孔９１には、図１５に示すように、シーリング部材９２が貫通されて設けられる。シーリング部材９２は、通信線引出孔９１を通る通信線８４Ａに被せられて設けられ、通信線８４Ａと、通信線引出孔９１との間隙を塞ぐ。これにより、仕切板５５に形成された通信線引出孔９１を介して熱交換室Ｒ２から第３の室Ｒ３に塵埃などが流れ込むのを防止することができる。
【００５１】
以上説明したように、本発明を適用した実施形態によれば、ユニット本体１０の内側を、仕切板５５により、熱交換器６０を収容する熱交換室Ｒ２と、送風ファン５０を収容する送風室Ｒ１とに仕切り、送風ファン５０で吸込口１７から空気を吸い込んで、当該空気を、熱交換器６０で熱交換して吹き出すビルトイン型の空気調和装置１において、吸込口１７には、吸込口１７全体を覆うフィルターユニット２０を設け、フィルターユニット２０は、複数のフィルター部２１を前記吸込口の横方向に連結して備えられ、フィルター部２１を互いに連結する連結部２４で折り曲げ自在に形成し、フィルターユニット２０を、ユニット本体１０の横方向にスライドさせて着脱自在に取り付けた。これにより、フィルターユニット２０の着脱作業を行う際には、フィルターユニット２０をユニット本体１０の横方向にスライドさせながら、各フィルター部２１の連結部２４でフィルターユニット２０を折り曲げてコンパクトにすることができ、狭い天井裏空間３４でも容易にフィルターユニット２０の脱着を行うことができるため、フィルターユニット２０のメンテナンス性が向上する。
【００５２】
また、本発明を適用した実施形態によれば、フィルターユニット２０は、フィルター部２１が連結部２４で互いに着脱自在に備えられるため、連結するフィルター部２１の数を変えることで、異なる大きさのユニット本体１０に広く適用することができる。これにより、異なる出力容量の室内ユニット５に対してフィルター部２１を共通部品化することができ、部品管理の容易化、及び、生産コストの削減を図ることができる。
【００５３】
また、本発明を適用した実施形態によれば、ユニット本体１０は、吸込口１７の上下に互いに平行に設けられた一対のレール４５を備え、フィルターユニットはレール４５間に支持され、レール４５の端部４５Ｃをユニット本体１０の側面１４Ａ側に開放し、開放された端部４５Ｃから、フィルターユニット２０を横方向にスライドさせて着脱可能に取り付けた。これにより、複数のフィルター部２１を連結させて状態でフィルターユニット２０をレール４５に沿って横方向にスライドさせるだけで、容易にフィルターユニット２０を着脱させることができ、フィルターユニット２０のメンテナンス性が向上する。
【００５４】
また、本発明を適用した実施形態によれば、フィルターユニット２０は、フィルター部２１の連結部２４が、隣り合うフィルター部２１の一方のフィルター部２１Ａを他方のフィルター部２１Ｂの前面側、或いは、後面側のどちら側にも折り曲げ可能に構成されている。これにより、フィルターユニット２０を各フィルター部２１の連結部２４で折り曲げる際には、例えば折り目の山谷を交互にしてフィルターユニット２０を折りたたむことができる。これにより、フィルターユニット２０を連結部２４を折り曲げた際の嵩張りを防ぐことができ、フィルターユニット２０をコンパクトに折りたたむことができるため、狭い天井裏空間３４でフィルターユニット２０の着脱させる際の作業性を向上し、フィルターユニット２０のメンテナンス性を向上することができる。
【００５５】
また、本発明を適用した実施形態によれば、連結部２４は、隣り合うフィルター部２１Ａ，２１Ｂの互いに臨む縁部の一方の縁２１Ｃに設けられた軸部２２と、他方の縁２１Ｄに設けられた抱持部２３と、を備え、抱持部２３で軸部２２を抱持して連結した際に、抱持部２３が軸部２２の周りを回動可能に構成されている。これにより、簡単な構造で、工具や治具等を必要とせずフィルター部２１を連結することができるとともに、連結部２４での両方向への折り曲げを可能にすることができるため、フィルターユニット２０の組み立て作業性、及び、メンテナンス性を向上することができる。
【００５６】
また、本発明を適用した実施形態によれば、ユニット本体１０は、被調和室２と点検口３５を介して連通する天井裏空間３４に設けられ、レール４５は、点検口３５側の端部４５Ｃが開放し、フィルターユニット２０は、レール４５の開放した端部４５Ｃからレール４５間に挿抜可能である。これにより、フィルターユニット２０を取り外す際には、点検口３５を介して天井裏空間３４内に手を伸ばして、フィルターユニット２０をユニット本体１０の横方向にスライドさせながら、各フィルター部２１の連結部２４でフィルターユニット２０を折り曲げてコンパクトにし、フィルターユニット２０を点検口３５から被調和室２に取り出すことができるまた。フィルターユニット２０を取り付ける際には、折りたたまれた状態でフィルターユニット２０を点検口３５を介して天井裏空間３４に入れることができ、また、連結部２４を広げながら、ユニット本体１０に横方向にスライドさせて取り付けることができる。そのため、狭い天井裏空間３４でも、フィルターユニット２０の脱着を容易に行うことができ、フィルターユニット２０のメンテナンス性を向上することができる。
【００５７】
また、本発明を適用した実施形態によれば、ユニット本体１０の内側を、仕切板５５により、熱交換器６０を収容する熱交換室Ｒ２と、送風ファン５０を収容する送風室Ｒ１とに仕切り、送風ファン５０で吸込口１７から空気を吸い込んで、当該空気を、熱交換器６０で熱交換して吹き出すビルトイン型の空気調和装置１において、送風室Ｒ１に隣接させて、電装箱８１を設け、電装箱８１には、送風室Ｒ１に対向する面８１Ａに、電装箱８１に電装部品８２を固定するための固定孔８２Ａが開口し、固定孔８２Ａを塞ぐように、電装箱８１と送風室Ｒ１の間に第２仕切板９０を設けた。これにより、電装箱８１に開口する電装部品８２を固定するための固定孔８２Ａを電装箱８１と送風室Ｒ１の間に設けた第２仕切板９０で塞ぐことができるため、固定孔８２Ａをシーリング材等で塞ぐことなく、固定孔８２Ａを介して送風室Ｒ１から電装箱８１に塵埃などが流れ込むのを防止することができる。
【００５８】
また、本発明を適用した実施形態によれば、ユニット本体１０の内側に、仕切板５５、及び、第２仕切板９０により、熱交換室Ｒ２、及び、送風室Ｒ１から仕切られた第３の室Ｒ３を設け、第３の室Ｒ３に電装箱８１を収容し、仕切板５５に第３の室Ｒ３と、熱交換室Ｒ２とに連通する配線孔９１を設け、配線孔９１を介して電装箱８１からの配線８４Ａ，８４Ｂを熱交換室Ｒ２に通した。これにより、第３の室Ｒ３から、送風室Ｒ１を通ることなく、熱交換室Ｒ２へ、直接配線することができるため、配線孔を介して送風室Ｒ１から電装箱８１に塵埃等が流れ込むのを防止することができる。
【００５９】
また、本発明を適用した実施形態によれば、電装箱８１は、複数の機種間で共通部品として用いられ、固定孔８２Ａを複数備えるため、電装箱８１の内部に収容する電装部品８２の種類や寸法が機種毎に違っていても、対応する固定孔８２Ａを任意に利用して固定することができ、電装部品８２が固定されずに開口したままの状態で残る固定孔８２Ａは、第２仕切板９０で塞ぐことができ、開口した固定孔８２Ａをシーリング材等で個々に塞ぐことなく、簡単な構成で送風室Ｒ１から電装箱８１に塵埃などが流れ込むのを防止することができる。
【００６０】
また、本発明を適用した実施形態によれば、第２仕切板９０は、送風室Ｒ１に、ユニット本体１０の底板１３側から抜き差しして取り付け可能に構成されるため、メンテナンス時等で、メンテナンスパネル５６を取り外したメンテナンス開口から送風室Ｒ１のメンテナンス作業をする場合等には、第２仕切板９０を底板１３を取り外したユニット本体１０の底面側から抜き差しして、簡単に着脱させることができ、メンテナンスの作業性を向上することができる。
【符号の説明】
【００６１】
１  ビルトイン型の空気調和装置
Ｒ１  送風室
Ｒ２  熱交換室
Ｒ３  第３の室
１０  ユニット本体
１３  底板
３５  天井パネル（点検口）
５０  送風ファン
５５  仕切板
５６  メンテナンスパネル
６０  室内熱交換器（熱交換器）
８０  電装ユニット
８１  電装箱
８１Ａ  面
８２  電装基板（電装部品）
８２  固定孔
８２Ａ  固定孔
【図１】
2013046899.tif 000003
【図２】
2013046899.tif 000004
【図３】
2013046899.tif 000005
【図４】
2013046899.tif 000006
【図５】
2013046899.tif 000007
【図６】
2013046899.tif 000008
【図７】
2013046899.tif 000009
【図８】
2013046899.tif 000010
【図９】
2013046899.tif 000011
【図１０】
2013046899.tif 000012
【図１１】
2013046899.tif 000013
【図１２】
2013046899.tif 000014
【図１３】
2013046899.tif 000015
【図１４】
2013046899.tif 000016
【図１５】
2013046899.tif 000017
【図１６】
2013046899.tif 000018
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
ユニット本体の内側を、仕切板により、熱交換器を収容する熱交換室と、送風ファンを収容する送風室とに仕切り、前記送風ファンで吸込口から空気を吸い込んで、当該空気を、前記熱交換器で熱交換して吹き出すビルトイン型の空気調和装置において、
前記ユニット本体は天井裏空間に設置され、前記ユニット本体の側板の近傍の天井板には点検口が設けられ、
前記吸込口は前記ユニット本体の吸込側パネルに形成され、前記吸込口には、前記吸込口全体を覆うフィルターユニットを設け、
前記フィルターユニットは、複数のフィルター部を前記吸込口の横方向に連結して備えられ、各フィルター部の開口部にはフィルター材が取り付けられ、各フィルター部の外枠材には前記開口部の下縁に沿って延びる取手部を備え、
前記フィルター部を互いに連結する連結部で、隣り合うフィルター部の一方を他方の前面側、或いは、後面側のどちら側にも折りたたみ可能に構成され、
前記ユニット本体は、前記吸込口の上下に互いに平行に設けられた一対のレールを備え、
前記レールは、前記点検口側の端部が開放し、前記フィルターユニットは、前記レールの開放した端部から前記レール間に横方向にスライドさせて着脱可能に設けられ、
前記フィルターユニットを、前記ユニット本体の横方向にスライドさせて前記側板の近傍で折りたたみながら前記点検口から引き出し可能としたことを特徴とするビルトイン型の空気調和装置。
【請求項２】
前記フィルターユニットは、前記フィルター部が前記連結部で互いに着脱自在に備えられることを特徴とする請求項１に記載のビルトイン型の空気調和装置。
【請求項３】
（削除）
【請求項４】
（削除）
【請求項５】
前記連結部は、隣り合う前記フィルター部の互いに臨む縁部の一方に設けられた軸部と、他方に設けられた抱持部と、を一体に備え、前記抱持部で前記軸部を抱持して連結した際に、前記抱持部が前記軸部の周りを回動可能に構成されていることを特徴とする請求項１乃至３のいずれかに記載のビルトイン型の空気調和装置。
【請求項６】
（削除）
【請求項７】
ユニット本体の内側を、仕切板により、熱交換器を収容する熱交換室と、送風ファンを収容する送風室とに仕切り、前記送風ファンで吸込口から空気を吸い込んで、当該空気を、前記熱交換器で熱交換して吹き出すビルトイン型の空気調和装置において、
前記送風室に隣接させて、電装箱を設け、
前記電装箱には、前記送風室に対向する面に、前記電装箱に電装部品を固定するための固定孔が開口し、
前記固定孔を塞ぐように、前記電装箱と前記送風室の間に第２仕切板を設けたことを特徴とするビルトイン型の空気調和装置。
【請求項８】
前記ユニット本体の内側に、前記仕切板、及び、前記第２仕切板により、前記熱交換室、及び、前記送風室から仕切られた第３の室を設け、前記第３の室に前記電装箱を収容し、前記仕切板に前記第３の室と、前記熱交換室とに連通する配線孔を設け、前記配線孔を介して前配電装箱からの配線を前記熱交換室に通したことを特徴とする請求項７に記載のビルトイン型の空気調和装置。
【請求項９】
前記電装箱は、複数の機種間で共通部品として用いられ、前記固定孔を複数備えることを特徴とする請求項７または８に記載のビルトイン型の空気調和装置。
【請求項１０】
前記第２仕切板は、前記送風室に、前記ユニット本体の底板側から抜き差しして取り付け可能に構成されることを特徴とする請求項７乃至９のいずれかに記載のビルトイン型の空気調和装置。
【国際調査報告】
2013046899.tif 000019
2013046899.tif 000020
2013046899.tif 000021
2013046899.tif 000022
2013046899.tif 000023
2013046899.tif 000024
2013046899.tif 000025
2013046899.tif 000026
2013046899.tif 000027
2013046899.tif 000028